(57)【要約】ターボファンエンジン用組立体は、後方部分を含む第１のカウル部材と、後方部分内に受けられるように構成された前方部分を含む平行移動可能カウル部材と、を含む。平行移動可能カウル部材は、前方部分が第１のカウル部材の後方部分内に受けられるようになる第１の作動位置と、第１の作動位置におけるよりも少ない前方部分の部分が後方部分内に受けられるようになる第２の作動位置との間で第１のカウル部材に対して移動可能に構成される。平行移動可能カウル部材は、ターボファンエンジンのコアカウルと協働し、出口ノズルを有するファンダクトの少なくとも一部を定めるように構成され、平行移動可能カウル部材が、制御ファンダクト区域と関連付けられる流れ制御部位を出口ノズル付近に定めるよう構成されている。【選択図】      図２
2013540940.tif 000002
【特許請求の範囲】
【請求項１】
ターボファンエンジン用組立体であって、
後方部分を含む第１のカウル部材と、
前記第１のカウル部材の後方部分内に受けられるように構成された前方部分を含む平行移動可能カウル部材と、
を備え、前記平行移動可能カウル部材は、前記前方部分が前記第１のカウル部材の後方部分内に受けられるようになる第１の作動位置と、前記第１の作動位置におけるよりも少ない前記前方部分の部分が前記後方部分内に受けられるようになる第２の作動位置との間で前記第１のカウル部材に対して移動可能に構成され、前記平行移動可能カウル部材が、前記ターボファンエンジンのコアカウルと協働し、出口ノズルを有するファンダクトの少なくとも一部を定めるように構成され、前記平行移動可能カウル部材が、制御ファンダクト区域と関連付けられる流れ制御部位を前記出口ノズル付近に定めるよう構成されている、組立体。
【請求項２】
前記第１の作動位置と前記第２の作動位置との間の前記第１のカウル部材に対する前記平行移動可能カウル部材の移動が、前記流れ制御部位にて前記制御ファンダクト区域の大きさを変化させるよう機能する、請求項１に記載の組立体。
【請求項３】
前記平行移動可能カウル部材の前方部分が、前記第１のカウル部材の後方部分内に入れ子式に受けられるように構成されている、請求項１に記載の組立体。
【請求項４】
前記平行移動可能カウル部材が更に、前方部分が前記後方部分ら離れて配置されて、該前方部分及び前記後方部分の間に開口を設けるようにする第３の作動位置に前記第１のカウル部材に対して移動可能に構成されている、請求項１に記載の組立体。
【請求項５】
前記平行移動可能カウル部材が、
間にスペースを定める半径方向内側パネル及び半径方向外側パネルと、
前記半径方向内側パネル及び半径方向外側パネル間のスペースに対して位置付けられて、前記平行移動可能カウル部材によって選択的に被覆及び露出されるようにされる逆推力装置部材と、
を含み、前記平行移動可能カウル部材が前記第１又は第２の作動位置に配置されたときに、前記逆推力装置部材が被覆され、前記平行移動可能カウル部材が前記第３の作動位置にあるときには、前記逆推力装置部材が露出される、請求項４に記載の組立体。
【請求項６】
前記半径方向内側パネルの一部は、前記平行移動可能カウル部材が前記第３の作動位置にあるときに、前記ファンダクトが前記ファンノズルの前方の位置にて実質的に遮蔽されるように構成される、請求項５に記載の組立体。
【請求項７】
前記半径方向内側パネルの一部が、少なくとも１つの移動可能遮蔽ドアを含む、請求項５に記載の組立体。
【請求項８】
前記逆推力装置部材が、複数の流れ配向ベントを含む、請求項５に記載の組立体。
【請求項９】
前記平行移動可能カウル部材に結合されたアクチュエータ組立体を更に備え、前記アクチュエータ組立体が、前記第１、第２、及び第３の作動位置の間で前記平行移動可能カウル部材を移動させるよう構成される、請求項４に記載の組立体。
【請求項１０】
前記平行移動可能カウル部材が、間にスペースを定めるよう配列された半径方向内側パネル及び半径方向外側パネルを含み、前記組立体が更に、
前記半径方向内側パネル及び半径方向外側パネル間の前記スペースに対して位置付けられて、前記平行移動可能カウル部材によって選択的に被覆及び露出されるようにされた逆推力装置部材を備え、前記平行移動可能カウル部材が前記第１又は第２の作動位置に配置されたときに、前記逆推力装置部材が被覆され、前記平行移動可能カウル部材が前記第３の作動位置にあるときには、前記逆推力装置部材が露出される、請求項９に記載の組立体。
【請求項１１】
前記半径方向内側パネルの一部は、前記平行移動可能カウル部材が前記第３の作動位置にあるときに、前記ファンダクトが前記ファンノズルの前方の位置にて実質的に遮蔽されるように構成される、請求項１０に記載の組立体。
【請求項１２】
前記半径方向内側パネルの一部が、少なくとも１つの移動可能遮蔽ドアを含む、請求項１１に記載の組立体。
【請求項１３】
前記逆推力装置部材が、複数の流れ配向ベントを含む、請求項１０に記載の組立体。
【請求項１４】
前記平行移動可能カウル部材と前記第１のカウル部材との間に配置されたシール部材を更に備える、請求項１に記載の組立体。
【請求項１５】
ターボファンエンジン組立体のファンダクト区域を制御する方法であって、
前記ターボファンエンジンのコアカウルと協働して、出口ノズルを有するファンダクトの少なくとも一部を定め、制御ファンダクト区域と関連付けられる流れ制御部位を前記出口ノズル付近に定めるように平行移動可能カウル部材を設けるステップと、
第１の作動位置と第２の作動位置との間で前記第１のカウル部材に対して前記平行移動可能カウル部材を移動させ、前記流れ制御部位にて前記制御ファンダクト区域の大きさを変化させるようにするステップと、
を含む、方法。
【請求項１６】
前記第１のカウル部材の後方部分内に前記平行移動可能カウル部材の前方部分を入れ子式に受けるステップを更に含む、請求項１５に記載の方法。
【請求項１７】
前記平行移動可能カウル部材を前記第１のカウル部材に対して第３の作動位置に移動させるステップを更に含み、前記前方部分が前記後方部分ら離れて配置されて、該前方部分及び前記後方部分の間に開口を設けるようにする、請求項１５に記載の方法。
【請求項１８】
前記平行移動可能カウル部材が、間にスペースを定める半径方向内側パネル及び半径方向外側パネルを含み、前記方法が更に、
前記半径方向内側パネル及び半径方向外側パネル間のスペースに対して逆推力装置部材を位置付けて、前記平行移動可能カウル部材によって選択的に被覆及び露出されるようにするステップを含み、前記平行移動可能カウル部材が前記第１又は第２の作動位置に配置されたときに、前記逆推力装置部材が被覆され、前記平行移動可能カウル部材が前記第３の作動位置にあるときには、前記逆推力装置部材が露出されるようになる、請求項１７に記載の方法。
【請求項１９】
前記半径方向内側パネルの一部は、前記平行移動可能カウル部材が前記第３の作動位置にあるときに、前記ファンダクトが前記ファンノズルの前方の位置にて実質的に遮蔽されるように構成される、請求項１８に記載の方法。
【請求項２０】
前記半径方向内側パネルの一部が、少なくとも１つの移動可能遮蔽ドアを含む、請求項１８に記載の方法。
【請求項２１】
前記逆推力装置部材が、複数の流れ配向ベントを含む、請求項１８に記載の方法。
【請求項２２】
ターボファンエンジン組立体のファンダクト区域を制御する方法を実施するようコンピュータを制御するためのプログラム命令を記憶した非一時的なコンピュータ可読媒体であって、前記ターボファンエンジン組立体が、前記ターボファンエンジンのコアカウルと協働し、出口ノズルを有するファンダクトの少なくとも一部を定め且つ前記出口ノズル付近に制御ファンダクト区域と関連付けられる流れ制御部位を定める平行移動可能カウル部材を備え、
前記方法が、第１のカウル部材に対して第１の作動位置と第２の作動位置との間で前記平行移動可能カウル部材を移動させ、流れ制御部位にて前記制御ファンダクト区域の大きさを変化させるようにするステップを含む、コンピュータ可読媒体。
【発明の詳細な説明】
【技術分野】
【０００１】
本開示は、全体的に、ターボファンエンジンに関し、より詳細には、ターボファンエンジンにおける可変ファンノズルを提供するカウル組立体に関する。
【背景技術】
【０００２】
通常、ターボファンエンジンは、ファン組立体と、環状コアカウル内に密閉されたコアガスタービンエンジンと、コアガスタービンエンジンの一部を囲むファンナセルとを含む。ファンナセルは、環状コアカウルから半径方向外向きに離間して配置され、コアカウルとファンナセルが排出区域を有するファンノズルダクトを形成するようになる。
【０００３】
通常、一部のターボファンエンジンは、逆推力装置組立体を含む。逆推力装置組立体は、第１の固定カウルと、該第１のカウルに対して軸方向に平行移動可能な第２のカウルとを含む。第２のカウルが再配置されるときに、空気流がファンノズルダクトから逆推力装置組立体を通って排出される。
【０００４】
固定区域ファンノズルがファン動作パラメータを決定する。ファンノズルダクトのノズル区域は、通常、主としてクルーズ時にファンストールマージンを保護してファン効率を最適化するよう選択される。本明細書で使用される用語「クルーズ」は、主として、航空機の巡航レベル部分（例えば、飛行が最大燃料効率である場合）を意味するのに使用される。クルーズは、通常、飛行エンベロープの航空機の上昇フェーズと降下フェーズ間に生じ、一般的には航空機飛行の大半を占める。
【０００５】
本明細書で開示されるように、上昇上限にてより高い推力を可能にしながら、離陸、巡航、及び下降アイドル出力時により効率的でより静かにファンが作動できるようにするよう、ファンノズルを変化させることが望ましいとすることができる。従って、本明細書で開示されるように、本開示の技術的作用は、ミッション燃料消費量、エンジン推力、及び航空機ノイズの改善を提供するためファンノズル区域を変える能力の１つ又はそれ以上を提供する。
【発明の概要】
【０００６】
本明細書で開示される例示的な実施形態は、コアガスタービンエンジンと、コアガスタービンエンジンを囲むコアカウルとを含むターボファンエンジン組立体用のカウル組立体を提供する。
【０００７】
１つの態様において、ターボファンエンジン用組立体は、後方部分を含む第１のカウル部材と、第１のカウル部材の後方部分内に受けられるように構成された前方部分を含む平行移動可能カウル部材と、を含む。平行移動可能カウル部材は、前方部分が第１のカウル部材の後方部分内に受けられるようになる第１の作動位置と、第１の作動位置におけるよりも少ない前方部分の部分が後方部分内に受けられるようになる第２の作動位置との間で第１のカウル部材に対して移動可能に構成される。平行移動可能カウル部材は、ターボファンエンジンのコアカウルと協働し、出口ノズルを有するファンダクトの少なくとも一部を定めるように構成され、平行移動可能カウル部材が、流れ制御部位を出口ノズル付近に定めるよう構成されている。流れ制御部位は、制御ファンダクト区域と関連付けられる。
【０００８】
別の態様において、ターボファンエンジン組立体のファンダクト区域を制御する方法は、ターボファンエンジンのコアカウルと協働して、出口ノズルを有するファンダクトの少なくとも一部を定め、流れ制御部位を出口ノズル付近に定めるように平行移動可能カウル部材を設けるステップを含む。流れ制御部位は、制御ファンダクト区域と関連付けられる。本方法は、第１の作動位置と第２の作動位置との間で第１のカウル部材に対して平行移動可能カウル部材を移動させ、流れ制御部位にて制御ファンダクト区域の大きさを変化させるようにするステップを含む。
【図面の簡単な説明】
【０００９】
【図１】例示的なカウル組立体を含む例示的な航空機ターボファンエンジン組立体の概略図。
【図２】第１の作動位置にある例示的なカウル組立体を示す部分側断面図。
【図３】第２の作動位置にある例示的なカウル組立体を示す部分側断面図。
【図４】第３の作動位置にある例示的なカウル組立体を示す部分側断面図。
【図５】第３の作動位置にある別の例示的なカウル組立体を示す部分側断面図。
【発明を実施するための形態】
【００１０】
図１は、例示的なターボファンエンジン組立体１０を示す。例示的な実施形態において、ターボファンエンジン組立体１０は、コアガスタービンエンジン２０を含む。例示的な実施形態において、ターボファンエンジン組立体１０は、コアガスタービンエンジン２０の周りに延びて且つ半径方向外側表面１５を有する環状コアカウル２２を含む。別の実施形態において、ターボファンエンジン組立体１０はまた、入口３０、第１の出口２９、及び第２の出口３４を含む。
【００１１】
１つの実施形態において、ファンナセル２４は、ファン組立体１６を囲み、コアカウル２２から半径方向外向きに離間して配置される。ナセル２４は、半径方向外側表面２３及び半径方向内側表面２５を含む。ファンダクト２６は、一般に、コアカウル２２の半径方向外側表面１５とナセル２４の半径方向内側表面２５との間に定められる。
【００１２】
運転中、空気流が入口３０に流入してファン組立体１６を通って流れ、下流側から排出される。空気流の第１の部分は、コアガスタービンエンジン２０を通って送られ、加圧され、燃料と混合され、点火されて燃焼ガスを生成し、該燃焼ガスは、第２の出口３４を通ってコアガスタービンエンジン２０から排出される。前方推力運転では、空気流２８の第２の部分は、ファンダクト２６を通って下流側に送られ、ファン出口ノズルとも呼ばれる第１の出口２９を通ってファンダクト２６から排出される。例示的な実施形態において、ナセル２４は、以下でより詳細に説明されるカウル組立体１００を含む。
【００１３】
図２〜５を参照すると、例示的な実施形態において、カウル組立体１００は、ナセル２４の一部を定める平行移動可能カウル部材１０２を含む。例示的な実施形態において、平行移動可能カウル部材１０２は、固定の第１のカウル部材１０４に移動可能に結合される。図２は、第１の作動位置（すなわち、収容状態）にある平行移動可能カウル部材１０２を示す例示的な実施形態の部分側断面図を示す。図３は、第２の作動位置（すなわち、部分的平行移動状態）にある平行移動可能カウル部材１０２を示す例示的な実施形態の部分側断面図を示す。図４は、第３の作動位置（すなわち、完全展開状態）にある平行移動可能カウル部材１０２を示す例示的な実施形態の部分側断面図を示す。図５は、平行移動可能カウル部材１０２が第３の作動位置（すなわち、完全展開状態）にある別の例示的な実施形態を示す。
【００１４】
例示的な実施形態において、アクチュエータ組立体１１０が平行移動可能カウル部材１０２に結合され、第１のカウル部材１０４に対してほぼ軸方向でカウル部材１０２を選択的に平行移動させるようにする。例示的な実施形態において、アクチュエータ組立体１１０は、ナセル２４により定められる区域の一部内に位置付けられる。例示的な実施形態において、アクチュエータ組立体１１０は、作動位置間でカウル部材１０２を平行移動させるために、電気、空気圧、又は液圧により駆動することができる。
【００１５】
例示的な実施形態は、後方部分１１４を有する第１のカウル部材１０４と、第１のカウル部材１０４の後方部分１１４内に入れ子式に受けられるようなサイズ及び構成にされた前方部分１１２を有する平行移動可能カウル部材１０２とを含む。平行移動可能カウル部材１０２は、少なくとも、前方部分１１２の実質的に全てが後方部分１１４内に受けられるようになる第１の作動位置（図２を参照）と、第１の作動位置における量よりも小さい前方部分１１２の一部が後方部分１１４内に受けられるようになる第２の作動位置（図３を参照）との間で第１のカウル部材１０４に対して動作可能に移動することができる。例示的な実施形態において、平行移動可能カウル部材１０２及び第１のカウル部材１０４は、重なり部分におけるナセル２４の外側表面上の段部を最小にするようなサイズ及び／又は構成にされる。
【００１６】
平行移動可能カウル部材１０２は、コアカウル２２と協働し、ファン出口ノズル２９を有するファンダクト２６の少なくとも一部を定めるようなサイズ及び／又は構成にされる。更に、平行移動可能カウル部材１０２は、ファン出口ノズル２９の付近に流れ制御部位１２０を定めるようなサイズ及び／又は構成にされ、ここで流れ制御部位１２０は、制御ファンダクト区域と関連付けられる。例えば、平行移動可能カウル部材１０２が第１の作動位置にあるときには、制御ファンダクト区域は、図２の矢印Ａで表される。図３に示すように、平行移動可能カウル部材１０２が第２の作動位置にあるときには、矢印Ａと矢印Ｂとの間のギャップで示すように制御ファンダクト区域が増大する。従って、第１の作動位置と第２の作動位置との間の第１のカウル部材１０４に対する平行移動可能カウル部材１０２の移動は、流れ制御部位１２０にて制御ファンダクト区域の大きさを変化させるよう機能する。図３に示すように、流れ制御面積が変化し、これに伴って距離Ｄで示すようにファンダクトの長さが増大した場合でも、流れ制御部位１２０は、実質的にファンノズル出口又はその近傍に留まっている。従って、平行移動可能カウル部材１０２は、コアカウル２２と協働して可変ファンノズルを提供し、ファン効率の向上をもたらす。図３に示すように、シール部材１５８を利用して、平行移動可能ナウルが第２の作動位置にあるときの空気漏洩を最小限にすることができる。
【００１７】
例示的な実施形態において、ファンダクト２６における空気流は、低マッハ数（すなわち、音速未満）であり、一般に、ファン出口ノズル２９又はその近傍にて制御流れ面積に収束している。添付図面では平行移動可能カウル部材を部分的にしか図示していないが、例示的な実施形態において、平行移動可能カウル全体は、制御ファンダクト区域を変化させるよう移動する。
【００１８】
例示的な平行移動可能カウル部材１０２は、間にスペース１３８を定めるように配列され構成される、半径方向内側パネル１３２及び半径方向外側パネル１３４を含む。１つの実施形態において、平行移動可能カウル部材１０２は、逆推力作動をもたらす。例示的な実施形態において、逆推力装置部材１４０は、半径方向内側及び外側パネル１３２、１３４それぞれの間のスペース１３８に対して位置付けられ、平行移動可能カウル部材１０２によって選択的に被覆及び露出されるようにする。従って、平行移動可能カウル部材１０２が第１及び第２の作動位置に配置されたときに、逆推力装置部材１４０は被覆され、平行移動可能カウル部材１０２の移動を利用して、上述のようにファンノズルダクトを変化させることができる。平行移動可能カウル部材１０２が第３の作動位置にあるときには、逆推力装置部材１４０は露出される。例示的な実施形態において適切な流れ配向部材及びシールが利用されることは、当業者であれば理解されるであろう。
【００１９】
例示的な実施形態において、逆推力装置部材１４０は、複数のカスケード転回ベーン１４２を含む、固定カスケード構造とすることができる。
【００２０】
例示的な実施形態において、作動時には、平行移動可能カウル部材１０２が第１又は第２の位置の何れかにあるときには、ファンダクト２６内の空気は、一般に、前方推力作動でファン出口ノズル２９から外に配向される。別の実施形態において、平行移動可能カウル部材１０２は、第３の作動位置に移動され、それによって逆推力装置部材１４０が露出され、空気流が、ベントとも呼ばれる転回ベーン１４２を通って配向されて逆推力をもたらすようになる。
【００２１】
例示的な実施形態において、例えば、図４及び５に示すように、平行移動可能カウル部材１０２が第３の作動位置にあるときには、ファンダクト２６は実質的に遮断され、ファン出口ノズル２９を通る空気流が低減又は抑制される。実際に、空気流は、逆推力作動で逆推力装置部材１４０を通って配向される。従来の遮蔽ドア設計を利用してもよい点は想定される。他の例示的な実施形態においては、ハイブリッド設計を利用してもよく、当該同時係属の本出願は、２０１０年９月３０日に出願された、米国特許出願第６１／３８８，３４６号に対する優先権を主張し、この開示事項は、引用により全体が本明細書に組み込まれる。
【００２２】
図４は、例示的な「遮蔽ドアが抑制された」タイプの逆推力装置を示し、ここでは半径方向内側パネル１３２の一部１５０がコアカウル２２の半径方向外側表面１５と協働し、ファンダクト２６を通ってファン出口ノズル２９から流出する空気流を実質的に遮断するようにする。図５は、例示的な「遮蔽ドア」タイプの逆推力装置を示し、ここでは半径方向内側パネル１３２の一部１５０が、ファンダクト２６内に移動して、コアカウル２２の表面１５と協働し、ファン出口ノズル２９から流出する空気流を実質的に遮断又は抑制するよう動作可能なドア又は可動部材１５２を含む。
【００２３】
本明細書で開示される実施形態は、ターボファンエンジンと共に使用するための例示的なカウル組立体１００を含む。例示的なカウル組立体１００は、後方部分１１４を含む第１のカウル部材１０４と、第１のカウル部材１０４の後方部分１１４内で入れ子式に受けられるようなサイズ及び構成にされた前方部分１１２を有する平行移動可能カウル部材１０２とを含む。１つの実施形態において、平行移動可能カウル部材１０２は、少なくとも、前方部分１１２の実質的に全てが後方部分１１４内に受けられるようになる第１の作動位置と、前方部分１１２の全てよりも少ない一部が後方部分１１４内に受けられるようになる第２の作動位置との間で第１のカウル部材１０４に対して動作可能に移動することができる。別の実施形態において、例示的な平行移動可能カウル部材１０２は、ターボファンエンジン２０のコアカウル２２と協働して、ファン出口ノズル２９を有するファンダクト２６の少なくとも一部を定めるようなサイズ及び／又は構成にされる。更に別の実施形態において、例示的な平行移動可能カウル部材１０２は、ファン出口ノズル２９の付近に流れ制御部位１２０を定めるようなサイズ及び／又は構成にされ、ここで流れ制御部位１２０は、制御ファンダクト区域と関連付けられる。第１の作動位置と第２の作動位置との間の第１のカウル部材１０４に対する平行移動可能カウル部材１０２の移動は、流れ制御部位１２０にて制御ファンダクト区域の大きさを変化させるよう機能する。
【００２４】
例示的な実施形態において、平行移動可能カウル部材１０２は更に、第１のカウル部材１０４に対して第３の作動位置に移動可能であり、ここで前方部分１１２は、後方部分１１４から離れて配置され、これらの間に開口１３０を設けるようにする。
【００２５】
例示的な実施形態において、平行移動可能カウル部材１０２は、間にスペース１３８を定めるように配列され構成される、半径方向内側パネル１３２及び半径方向外側パネル１３４を含む。例示的なカウル組立体１００は、半径方向内側及び外側パネル１３２、１３４それぞれの間のスペース１３８に対して位置付けられた逆推力装置部材１４０を含み、平行移動可能カウル部材１０２によって選択的に被覆及び露出されるようにする。平行移動可能カウル部材１０２が第１又は第２の作動位置に配置されたときに、逆推力装置部材１４０は被覆され、平行移動可能カウル部材１０２が第３の作動位置にあるときには、逆推力装置部材１４０は露出される。
【００２６】
例示的な実施形態において、半径方向内側パネル１３２の一部１５０は、平行移動可能カウル部材１０２が第３の作動位置にあるときに、ファンダクト２６がファン出口ノズル２９の前方の位置にて実質的に遮蔽されるように配列され構成される。
【００２７】
例示的な実施形態において、半径方向内側パネル１３２の一部１５０は、少なくとも１つの移動可能遮蔽ドア１５２を含む。例示的な実施形態において、第１のカウル部材１０４は、複数の流れ配向ベント１４２を含む。
【００２８】
例示的な実施形態は、平行移動可能カウル部材１０２に結合されたアクチュエータ組立体１１０を含み、該アクチュエータ組立体１１０が、第１、第２、及び第３の作動位置の間で平行移動可能カウル部材１０２を移動させるよう構成及び配列されるようにする。
【００２９】
一部の実施形態において、本明細書で開示されるシステム及び方法は、コンピュータによって支援され、或いは、コンピュータ可読媒体上に記憶することができる。
【００３０】
本明細書で記載される実施形態は、本明細書で記載される処理タスクを実施するための何らかの特定のシステムコントローラ又はプロセッサに限定されない。本明細書で使用される用語「コントローラ」又は「プロセッサ」は、本明細書で記載されるタスクを実施するのに必要な計算又は演算を実施できる何らかの機械を表すものとする。用語「コントローラ」及び「プロセッサ」はまた、構造的入力を受け入れて、出力を生成する規定のルールに従って入力を処理することができるあらゆる機械を表すことを意図している。また、本明細書で使用される表現「ように構成された」は、コントローラ／プロセッサが、当業者であれば理解されるように、本発明の実施形態のタスクを実施するためのハードウェア及びソフトウェアの組み合わせを備えることを意味する点に留意されたい。本明細書で使用される用語コントローラ／プロセッサは、中央処理ユニット、マイクロプロセッサ、マイクロコントローラ、縮小命令セット回路（ＲＩＳＣ）、特定用途向け集積回路（ＡＳＩＣ）、論理回路、及び本明細書で記載される機能を実行可能な他の何れかの回路もしくはプロセッサを指す。
【００３１】
本明細書で説明される実施形態は、非一時的なコンピュータ可読記憶媒体を含む、１つ又はそれ以上のコンピュータ可読媒体を包含し、各媒体は、データを操作するためのデータ又はコンピュータ実行命令を媒体上に含むように構成することができ、或いは該データを含む。コンピュータ実行可能命令は、種々の異なる機能を実行できる汎用コンピュータに付随するもの、或いは、限定された幾つかの機能を実行できる特定用途向けコンピュータに付随するものなど、処理システムによってアクセス可能なデータ構造、オブジェクト、プログラム、ルーチン、又は他のプログラムモジュールを含む。開示事項の態様は、本明細書で説明される命令を実行するよう構成したときには、汎用コンピュータを特定用途向けコンピュータに転換する。コンピュータ実行可能命令により、処理システムが、特定の機能又は機能グループを実施するようになり、該コンピュータ実行可能命令は、本明細書で開示される方法のステップを実施するプログラムコード手段の実施例である。更に、特定の一連の実行可能命令は、このようなステップを実施するのに使用できる対応する実施動作の実施例を提供する。コンピュータ可読媒体の実施例は、ランダムアクセスメモリ（「ＲＡＭ」）、リードオンリーメモリ（「ＲＯＭ」）、プログラマブルリードオンリーメモリ（「ＰＲＯＭ」）、消去可能プログラマブルリードオンリーメモリ（「ＥＰＲＯＭ」）、電気的消去可能プログラマブルリードオンリーメモリ（「ＥＥＰＲＯＭ」）、コンパクトディスクリードオンリーメモリ（「ＣＤ−ＲＯＭ」）、又は処理システムによってアクセス可能なデータ又は実行可能命令を提供できる他のあらゆるデバイス又は構成要素を含む。
【００３２】
本明細書で記載されるコンピュータ又はコンピュータデバイスは、１つ又はそれ以上のプロセッサマットもしくは処理ユニット、システムメモリ、及びコンピュータ可読媒体の一部の形態を有する。限定ではなく例証として、コンピュータ可読媒体は、コンピュータ記憶媒体及び通信媒体を備える。コンピュータ記憶媒体は、コンピュータ可読命令、データ構造、プログラムモジュール、又は他のデータなどの情報を記憶するための何らかの方法又は技術で実施される、揮発性及び不揮発性、リムーバブル及び非リムーバブル媒体を含む。通信媒体は通常、搬送波又は他の輸送機構のような変調データ信号内にコンピュータ可読命令、データ構造、プログラムモジュール、又は他のデータを埋め込む。上述の何れかの組み合わせはまた、コンピュータ可読媒体の範囲内にある。
【００３３】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００３４】
１０  ターボファンエンジン組立体
１５  半径方向外側表面
２５  半径方向内側表面
１００  カウル組立体
１０２  平行移動可能カウル部材
１０４  第１のカウル部材
１１０  アクチュエータ組立体
【図１】
2013540940.tif 000003
【図２】
2013540940.tif 000004
【図３】
2013540940.tif 000005
【図４】
2013540940.tif 000006
【図５】
2013540940.tif 000007
【国際調査報告】
2013540940.tif 000008
2013540940.tif 000009
2013540940.tif 000010